(57)【要約】【課題】長尺物を積み重ねたパレットを、トラックなどに簡単かつ容易に積載することができると共に、必要に応じて高く積み重ねても運搬中に荷崩れを起こすことがなく、保管が容易なパレットを提供する。【解決手段】枠状のフレーム主体２の長手方向において相対する側枠２ａ，２ａに、長さの異なる２種類の支柱５，６を個別に着脱自在に装着することのできる複数の取付部１０を、それぞれ対向させて設け、短い支柱５は、取付部１０を構成する一方の固定具１１に、長い支柱６は他方の固定具１２にそれぞれ着脱自在に装着可能としてパレット１を構成し、積載物が少ない場合には短い支柱５を使用し、積載量が多い場合には、長い支柱６を併用して搬送、保管する。【選択図】　　　　図４
2004142795.tif 000002
【特許請求の範囲】
【請求項１】
枠状に形成されたフレーム主体の対向する側枠に、長さの異なる２種類の支柱を個別に装着することのできる取付部の複数を、それぞれ対向させて設けたことを特徴とするパレット。
【請求項２】
前記取付部は、
積載物が少量のときに使用する短い支柱を装着する固定具と、積載量が多いときに使用する長い支柱を装着する固定具とから構成され、
いずれも有底の中空パイプ製で、その基端部に、内部に前記支柱の先端部を受入れることが可能な脚部が一体的に設けられ、互いに近接して配置されたものであること
ことを特徴とする請求項１に記載のパレット。
【請求項３】
前記長さが異なる２種類の支柱は、
いずれも中空パイプからなるもので、各固定具に対し着脱自在であること
を特徴とする請求項１又は２に記載のパレット。
【請求項４】
前記長さが異なる２種類の支柱は、長さの長い支柱のみが固定具に対して着脱自在であること
を特徴とする請求項１又は２に記載のパレット。
【請求項５】
前記取付具は、
長い支柱の固定具が、短い支柱の固定具よりも外方に位置するようフレーム主体の側枠に設けられていること
を特徴とする請求項１乃至４のいずれかに記載のパレット。
【請求項６】
前記フレーム主体、各支柱及び取付部は、
積載物と接触する面に緩衝材が設けられていること
を特徴とする請求項１乃至５のいずれかに記載のパレット。
【請求項７】
前記フレーム主体は、
前記各取付部の近傍の裏面に、荷重受け部材を、各取付部の脚部と同一平面上に位置するよう設けられていること
を特徴とする請求項１乃至６のいずれかに記載のパレット。
【発明の詳細な説明】
【０００１】
【発明の属する技術分野】
この発明は、プラスチック製や金属製のパイプ、建築木材、建築鋼材などの長尺物を積み重ねた状態で保管するに際して、あるいはトラックなど車両の荷台に積載して運搬する際に使用されるパレットに関するものである。
【０００２】
【従来の技術】
プラスチック製や金属製のパイプ、建築木材、建築鋼材などの長尺物を積み重ねて保管し、また運搬する際に使用するパレットとしては、例えば、軽金属製の複数の長尺材を縦長の枠状に組み立てた枠状構造体と、この枠状構造体の一部に垂直方向に立設される複数の柱状部材からなるパレット装置（特許文献１）や、長尺部材を載置する一方向に縦長の台枠と、この台枠の両側に設けられ、前記長尺部材の荷崩れを防止する複数の支柱とを有するパレットにおいて、前記支柱を台枠に着脱自在に設けたパレット（特許文献２）、さらには前記のように構成した枠状構造体（台枠）に、伸直・折畳み自在な柱部材を固着して、パレットの高さ寸法を変更できるようにした長尺物搬送パレット（特許文献３）等が提案されている。
【０００３】
【特許文献１】
特開平７−２６７２４８号公報（特許請求の範囲、図２、図４）
【特許文献２】
特開平９−３２８１３３号公報（特許請求の範囲、図１）
【特許文献３】
実用新案登録第２５３６６８６号公報（特許請求の範囲、図１、図２）
【０００４】
【発明が解決しようとする課題】
しかしながら、特許文献１および特許文献２に提示されているパレットは、長尺物の保管や運搬ができるうえ、無積載の時は、柱部材を取外してサイズをコンパクトにすることができるという特長を有するが、パイプ等を積み重ねたパレットを鉛直方向に積み重ねることができず、保管に際し、倉庫スペースに無駄が生ずるとともに、一度に運搬することのできる量が少ないという欠点を有するものである。
【０００５】
また、特許文献３に提示されている長尺物搬送パレットは、底枠に取付けられる柱部の下端に逆碗状の脚部を設け、１段目のパレットの基本柱上端に２段目のパレットの脚部を載置することによって、パイプ等を積載した長尺物搬送パレットを上下方向に積み重ねて保管・運搬できるようにしているが、長尺物搬送パレットの積み重ねに際し、２段目のパレットを１段目のパレットの上に誘導し、２段目のパレットの柱部を１段目のパレットの柱部に確実に載置するためには、誘導および確認のための人件費の削減ができないとともに、柱部の上端に脚部を載置するだけなので、運搬中の衝撃で荷崩れを起こす危険性があるなどの問題点を有している。
【０００６】
この発明はかかる現状に鑑み、長尺物を積層したパレットをトラックなどの運搬手段に簡単かつ容易に積載することができると共に、運搬中に荷崩れを起こすことがなく、さらには、積荷が損傷することのないパレットを提供せんとするものである。
【０００７】
【課題を解決するための手段】
前記の目的を達成するため、この発明の請求項１に記載の発明は、
枠状に形成されたフレーム主体の対向する側枠に、長さの異なる２種類の支柱を個別に装着することのできる取付部の複数を、それぞれ対向させて設けたことを特徴とするパレットである。
【０００８】
また、この発明の請求項２に記載の発明は、
請求項１に記載のパレットにおいて、
前記取付部は、
積載物が少量のときに使用する短い支柱を装着する固定具と、積載量が多いときに使用する長い支柱を装着する固定具とから構成され、
いずれも有底の中空パイプ製で、その基端部に、内部に前記支柱の先端部を受入れることが可能な脚部が一体的に設けられ、互いに近接して配置されたものであること
ことを特徴とするものである。
【０００９】
また、この発明の請求項３に記載の発明は、
請求項１又は２に記載のパレットにおいて、
前記長さが異なる２種類の支柱は、
いずれも中空パイプからなるもので、各固定具に対し着脱自在であること
を特徴とするものである。
ある。
【００１０】
また、この発明の請求項４に記載の発明は、
請求項１又は２に記載のパレットにおいて、
前記長さが異なる２種類の支柱は、
長さの長い支柱のみが固定具に対して着脱自在であること
を特徴とするものである。
【００１１】
また、この発明の請求項５に記載の発明は、
請求項１乃至４のいずれかに記載のパレットにおいて、
前記取付具は、
長い支柱の固定具が、短い支柱の固定具よりも外方に位置するようフレーム主体の側枠に設けられていること
を特徴とするものである。
【００１２】
さらに、この発明の請求項６に記載の発明は、
請求項１乃至５のいずれかに記載のパレットにおいて、
前記フレーム主体、各支柱及び取付部は、
積載物と接触する面に緩衝材が設けられていること
を特徴とするものである。
【００１３】
さらにまた、この発明の請求項７に記載の発明は、
請求項１乃至６のいずれかに記載のパレットにおいて、
前記フレーム主体は、
前記各取付部の近傍の裏面に、荷重受け部材を、各取付部の脚部と同一平面上に位置するよう設けられていること
を特徴とするものである。
【００１４】
【発明の実施の形態】
以下、この発明にかかるパレットの好ましい実施の形態を、添付の図面に基づいて具体的に説明するが、この発明のパレットは、その要旨を変更しない範囲内において種々変更できるものである。
【００１５】
この発明のパレット１は、図１に示すように、枠状のフレーム主体２と、このフレーム主体２の長手方向において対向する側枠２ａ，２ａの両端部近傍の外側に固定される複数の取付部１０とから構成されるものである。
【００１６】
前記フレーム主体２は、角パイプからなる長い側枠２ａ，２ａと、短い側枠２ｂ，２ｂを使用して矩形状のフレームを構成するとともに、このフレームの内部に、角パイプからなる複数の補強材２ｃを、所要間隔を存して長手方向に平行に配置し、かつ側枠２ａと補強材２ｃ及び補強材２ｃ，２ｃ間を、角パイプ製の短い補助桟２ｄによって一体的に連結し、全体を格子状に構成したもので、枠材として使用する角パイプは、軽量で強度を有するアルミ又はアルミ合金などの軽金属が好ましいが、ステンレス材であってもよく、必ずしも素材は限定されるものではない。
なお、前記フレーム主体２は、角パイプに代えて溝型鋼（チャンネル材）を使用することもできる。
【００１７】
このフレーム主体２の底部には、図４および図５で明らかなように、中央部にフォークリフトの爪を誘導するため、断面がＬ字型の一対のフォークガイド３，４が、側枠２ａ，２ａ間に所要の間隔を存して平行に形成されている。
【００１８】
一方、前記フレーム主体２の側枠２ａ，２ａの端部に、それぞれ対称的に配置固定される取付部１０は、積載量が少ない時に使用する短い支柱５を装着するための固定具１１と、積載量が多いときに使用される長い支柱６を装着するための固定具１２とからなるもので、固定具１１はフレーム主体２の内側、すなわち中心側に、固定具１２は外側、すなわち側枠２ａの端部側に、互いに近接した状態でそれぞれ配置されるものであるが、多少の位置ズレは問題がない。
【００１９】
これら固定具１１，１２は、いずれも短い有底のパイプ部材から構成されるもので、それぞれ断面Ｌ字状の一対の取付板１３，１３によって側枠２ａの外側に固定されるもので、各固定具１１，１２の基端部には、内部に他のパレットの、支柱の先端部を受入れることのできる空隙部を有する逆椀状の脚部１４が一体的に設けられが、前記パイプ部材の底部には、雨水などを排水するための透孔を形成しておくことが好ましい。
【００２０】
なお、側枠２ａへの固定具１１，１２の取付けは、前記のように取付板１３，１３を使用する以外に、溶接などの手段によって、固定具の外周部を側枠２ａに直接固着してもよく、要は側枠２ａに固定具１１，１２が固着することができれば、固着手段に特段の制限はない。
【００２１】
そして、各固定具１１近傍の側枠２ａの裏面には、フレーム主体２上に積載物を搭載したとき、前記各固定具１１，１２を補強するために、パイプ材からなる荷重受け部材１５がそれぞれ固着されたものである。
【００２２】
また、前記各固定具１１，１２は、基本的には図１で明らかなように、フレーム主体２を構成する側枠２ａの外側に、同じ断面積のパイプ部材を取付板１３，１３によって固定するので、側枠２ａからの飛出し量は同じとなるが、長い支柱を保持する固定具１２を、図３に示すように、側枠２ａに厚さ５〜１０ｍｍ程度のスペーサ１６を固定したのち、固定具１２を取付板１３，１３によって固定すると、スペーサ１６の厚さ分だけ外側に突出させることによって、後述するように長い支柱６の装着をより容易に行なうことが可能となる。
【００２３】
さらに、この発明のパレット１は、搭載する積載物の損傷を防止するため、長手方向の側枠２ａ，２ａ間を連結する左右の側枠２ｂ，２ｂと、この側枠に平行な複数の補助桟２ｄで形成される補助枠上にゴム又は合成樹脂からなる緩衝材８を貼着しているが、積載物と接するパレット１を構成する部材の当接面全てに緩衝材８を貼着することがより好ましい。
【００２４】
パレット主体２の側枠２ａの両端部近傍に配設固定した取付部１０のうち、内側に位置する固定具１１には、長さが約１３００ｍｍ程度と比較的短いパイプ製の支柱５を、外側の固定具１２には、長さが約２６００ｍｍ程度の比較的長いパイプ製の支柱６をそれぞれ着脱自在に装着するもので、各支柱５，６はパイプ製で、断面形状が円であっても四角であってもよいが、例えば、２つの溝型鋼を組合わせて、断面が四角形状の中空パイプ状としてもよい。
【００２５】
また、短い支柱５と長い支柱６とは、好ましくはステンレスなどの鋼材製の中空パイプであって、同じ断面積を有するものでもよいが、作業者がいずれなのかを混同しないよう太さの異なるものとしてもよく、この場合には固定具１１，１２の断面積も当然に異なるものとすることが求められる。
【００２６】
さらにまた、一方の支柱を円とし、他方の支柱を四角として区別することも可能で、要は作業者が混同しない手段であればよく、支柱の色別にすることも有効である。
【００２７】
かかる構成を有するパレット１の使用方法を説明すると、まず、一つのパレット主体２に短い支柱５をそれぞれ立設したのち、フォークリフト又はクレーンなどの機械を使用してパレット主体２上に、資材用の長尺パイプなどの積載物Ｐ，Ｐ・・・・を支柱５の先端部よりも突出しないように順次積み重ね、この状態でフォークリフトを使用してトラックの荷台にパレット１を搭載する。
【００２８】
もっとも、トラックの荷台に短い支柱５を立設したパレット主体２をあらかじめ搭載し、しかるのちパレット主体２上にフォークリフトやクレーンなどの機械を使用し、長尺のパイプなどを順次積み重ねてもよいことは当然である。
【００２９】
その後、さらに積載物Ｐ，Ｐ・・・・を順次積み重ねる場合には、各固定具１２にそれぞれ長い支柱６を装着固定し、積載物を長い支柱５の先端部に近い位置まで積み重ねるものであるが、長い支柱６を受入れる固定具１２を、短い支柱５を受入れる固定具１１よりも外側に配置することによって、短い支柱５と積載物が当接しているので、長い支柱６を積載物に触れさせることなく簡単かつ容易に固定具１２内に装着でき、かつ取外すことができる。
【００３０】
なお、長い支柱６を使用して積載物Ｐをさらに積み重ねる場合、図４に示すように、短い支柱５を利用して積み重ねた積載物Ｐ１の上端に、当て木７を幅方向に載置したのち、さらに積載物Ｐを積み重ねることによって、荷降ろしに際し、パレット一つ分の積載量を容易に知ることができる。
【００３１】
特に、短い支柱５を利用して積載物Ｐを積み重ねた後に、長い支柱６を使用してさらに積載物Ｐを積み重ねる場合、１段目と２段目の間に当て木を配置することにより、積載物に加わる衝撃を吸収し、かつ積載物を均一荷重で積み重ねることができ、積載物の品質を保持して保管・運搬することができる。
【００３２】
ついで、図４に示す状態の積載物Ｐを荷降ろしするには、トラックの傍にあらかじめ短い支柱を立設した空のパレットを配置し、前記当て木７が現れるまで、積載物Ｐを順次クレーンなどで空のパレットに移し換えし、積み替えの終わったパレットをフォークリフトで所定の位置に移送したのち、残りの積載物をパレット１ごとトラックから降ろし、そのまま所定の場所に移送するものである。
【００３３】
また、倉庫などでパレット１に積載物Ｐを積み重ねた状態で保管するには、各パレット１を同一平面上に並べて保管してもよいが、この方法はきわめて広い場所を占めることになるので、図５に示すように、短い支柱５をパレット主体２に立設して積載物Ｐを積み重ねたパレット１を所定の場所に載置したのち、短い支柱５を立設したパレット主体２に積載物Ｐを積み重ねたパレット１Ａを、フォークリフトで持ち上げてパレット１の上方に移動させ、フォークリフトを操作しながら、パレット１の各支柱５の先端部にパレット１Ａの固定具１１の各脚部１４を位置させ、静かにパレット１Ａをパレット１上に下ろすと、各脚部１４内にパレット１の各支柱５の先端部が入り込み、安定してパレット１上にパレット１Ａを積み重ねることができる。
【００３４】
なお、前記の実施の形態においては、短い支柱５も長い支柱６も、側枠２ａの両端部近傍にそれぞれ固着された取付部に対し、着脱自在としているが、重量のある積載物では片側２本では支え切れない場合もあるので、積み重ねる積載物の重量に応じて、長短の支柱の数を片側３本あるいは４本にしてもよい。
【００３５】
さらに、前記の実施の形態においては、短い支柱５も長い支柱６も、各固定具に対して着脱自在となるよう構成しているが、特に、常時使用が予定される短い支柱５をあらかじめ固定具１１に固着することもできる。
【００３６】
【発明の効果】
この発明のパレットは、長尺の積載物を載置するフレーム主体の相対する側枠の両端部近傍に、短い支柱と長い支柱をそれぞれ個別に装着保持することのできる取付部を対向させて配置固定したので、１台のパレットに少なくともパレット２台分の積荷を簡単かつ容易に積載することができる。
【００３７】
また、短い支柱と長い支柱は、それぞれ個別にフレーム主体に着脱自在に装着保持することができるので、不要の際には簡単に取外し、フレーム主体と各支柱とを分離して保管することができ、保管に際して場所を占めることがない。
【００３８】
また、長い支柱の固定具を、短い支柱の固定具よりも外側に配置することによって、積載物を短い支柱よりも高く積み重ねる場合、既に積み重ねた積載物に触れることなく、長い支柱を固定具に装着することができるので、長い支柱の固定具への装着が容易となるとともに、長い支柱と短い支柱の装着部位を間違うおそれがない。
【００３９】
また、取付部を構成する各固定具の基端部には、他のパレットの支柱の先端部を受入れることのできる脚部を設けているので、特に、短い支柱を利用して複数のパレットを鉛直方向に積み重ねて保管することができる。
【図面の簡単な説明】
【図１】この発明にかかるパレットの一実施の形態を示す平面図である。
【図２】図１のパレットの要部を示す側面図である。
【図３】この発明にかかる他のパレットの要部を示す平面図である。
【図４】この発明のパレットの使用状態を示す側面図である。
【図５】この発明にかかるパレットの他の使用例を示す側面図である。
【符号の説明】
１　　　　　パレット
２　　　　　フレーム主体
５　　　　　短い支柱
６　　　　　長い支柱
７　　　　　当て木
８　　　　　緩衝材
１０　　　　取付部
１１　　　　短い支柱の固定具
１２　　　　長い支柱の固定具
１４　　　　脚部
Ｐ　　　　　積載物
【図１】
2004142795.tif 000003
【図２】
2004142795.tif 000004
【図３】
2004142795.tif 000005
【図４】
2004142795.tif 000006
【図５】
2004142795.tif 000007